(57)【要約】【課題】【解決手段】複数のニードル組体を収容し、これらニードル組体を選択的に取り出すためのニードルマガジン。このニードルマガジンは、上面と下面とを有する筒形のベース部材を有する。これら両面は、互いに平行であり、筒形面によって互いに接続されている。前記ベース部材は、複数の分室を有し、各分室は、所定の円の扇形の形態である。各分室は、水平位置に位置決めされているニードル組体を有する。前記ベース部材は、前記ベース部材の上面と平行な第１の部分と、前記筒形面と平行な第２の部分とを有するカバーによって少なくとも部分的に覆われている。この第２の部分は、開口を有し、この開口を通じて、各分室へのアクセスが、前記カバーの回転軸の径方向に沿って得られ得る。
2004505683.tif 000002
【特許請求の範囲】
【請求項１】
複数のニードル組体を収容し、これらニードル組体をここから選択的に取り出すためのニードルマガジンであって、
上面と、下面と、これら面間の筒形面とを有し、また、各々が前記ニードル組体の１つを収容する複数の分室を有する筒形のベース部材と、
このベース部材に対して回転されるように、このベース部材に回転可能に設けられ、スロットを有し、このスロットを通じて、前記分室の１つ内に配置されているニードル組体の１つへのアクセスが、与えられ得るカバーとを、
具備するニードルマガジンにおいて、
各分室は、少なくとも部分的に、所定の円の扇形の形態であり、各扇形は、前記カバーの回転軸の径方向に延びており、
前記カバーは、前記上面とほぼ平行な第１の部分と、前記筒形面とほぼ平行な第２の部分とを有し、この第２の部分は、前記筒形のベース部材の筒形面を少なくとも部分的に被っており、
前記カバーのスロットは、前記第２の部分に少なくとも部分的に与えられており、このため、前記分室へのアクセスが、回転部材の回転軸の径方向に沿って得られ得る
ことを特徴とするニードルマガジン。
【請求項２】
各分室は、各ニードル組体を回転に対してロックする手段を有することを特徴とする請求項１の複数のニードル組体を収容するためのニードルマガジン。
【請求項３】
各ニードル組体は、前記分室中へとプレスばめされることを特徴とする請求項２の複数のニードル組体を収容するためのニードルマガジン。
【請求項４】
各分室は、使用済みニードル組体の再使用を防止する手段を有することを特徴とする請求項１ないし３のいずれか１の複数のニードル組体を収容するためのニードルマガジン。
【請求項５】
各分室は、前記分室の内面に配置されている複数のフレキシブルアームを有し、これらアームは、各分室の内面に垂直な位置へとこれらアームを移動させる組み込み弾性を有することを特徴とする請求項４の複数のニードル組体を収容するためのニードルマガジン。
【請求項６】
前記アームは、使用済みニードル組体が、前記分室内に配置されるとき、前方に曲げられ、ニードルハブの外径部又はこのニードルハブに支持されているリングと、前記分室との間に押し込められることを特徴とする請求項５の複数のニードル組体を収容するためのニードルマガジン。
【請求項７】
前記ニードルマガジンは、前記カバーが、前記ベース部材に対して所定の一回転方向に回転されることを妨げる手段を有することを特徴とする請求項１ないし６のいずれか１の複数のニードル組体を収容するためのニードルマガジン。
【請求項８】
前記ニードルマガジンは、前記カバーに設けられている１以上のラチェット歯と相互作用する、前記ベース部材に設けられている複数のラチェット歯を有することを特徴とする請求項７の複数のニードル組体を収容するためのニードルマガジン。
【請求項９】
前記カバー及びベース部材は、前記カバーが、前記ベース部材に対して３６０度以上回転されることを妨げる手段を有することを特徴とする請求項１ないし８のいずれか１の複数のニードル組体を収容するためのニードルマガジン。
【請求項１０】
前記カバーに配置されている第１の突出部と、前記ベース部材に配置されている第２の突出部とが、前記カバーが、前記ベース部材に対して約３６０度回転されたとき、互いに当接することを特徴とする請求項９の複数のニードル組体を収容するためのニードルマガジン。
【発明の詳細な説明】
【０００１】
【発明の属する技術分野】
本発明は、複数のニードル組体を収容し、取り出すためのニードルマガジンに関する。
【０００２】
【従来の技術】
医療用注射装置が、薬物の選択された投与量を患者に与えるために使用されている。インシュリンのような薬物は、患者本人によって扱われている。典型的な糖尿病患者は、一日数回のインシュリンの注射を必要とするだろう。感染を防止するため、新たな注射毎に、滅菌されたニードル組体を使用することが推奨されている。これらニードル組体は、しばしば、マガジン内に与えられ、各マガジンは、滅菌された分室内にただ１つのニードル組体を収容する。このようなマガジンは、米国特許５．９７１．９６６号で開示されている。この種類のニードル組体を使用するさいには、患者が、各注射の前に、マガジンを開けて、ニードル組体を注射装置に装着することが必要である。新たな滅菌されたニードル組体は、しばしば、ハンドバック又はブリーフケースで大雑把に運ばれ、使用済みニードル組体は、しばしば安全でない状態に配置されるために、このタイプの滅菌されたニードル組体の収容と、使用済みニードル組体の最終的な配置とが、問題となっている。
【０００３】
これら問題を克服するため、複数のニードル組体を収容し、取り出すためのニードルマガジンが、開発されている。従来のこのマガジンは、米国特許５．８７３．４６２号で開示され、複数の分室を有する筒形ベース部材によって形成されており、各分室は、１つのニードル組体を収容している。カバーが、前記ベース部材の頂部に回転可能に設けられている。このカバーに与えられているスロットが、前記分室の内部とアラインメントされたとき、使用者は、この分室にアクセスし得る。前記ニードル組体は、ねじ山接続によって注射装置に接続される。典型的な注射装置は、先端部に与えられているねじ山を有し、このねじ山は、前記ニードル組体の内側のねじ山に適合されており、従って、前記マガジンあるいは注射装置を回転させたとき、前記ニードル組体は、前記注射装置に接続される。使用後に、使用済みニードル組体が、前記マガジン内に位置されるとき、使用者は、再び同じ手順を行う必要がある。
【０００４】
前記マガジンの高さは、片手で保持するには困難な高さであるために、知られたニードルマガジンの取り扱いは、非常に面倒である。即ち、前記マガジンは、前記ニードル組体を前記注射装置に装着する前、平らな面、例えば、テーブル上に位置される必要がある。前記マガジンが、テーブル上に配置されているとき、使用者の前記ニードルマガジンに対する物理的な制御は、ある程度限定される。典型的に、前記注射装置とニードル組体との間のねじ山接続部のピッチは、ねじ山接続を充分に液密にさせるように、前記注射装置が、２回即ち約７２０度回転されなければならないように形成されている。
【０００５】
【発明が解決しようとする課題】
従来技術のニードルマガジンの欠点を有しないニードルマガジンを提供することが、本発明の目的であり、このニードルマガジンにおいて、注射装置をニードル組体と接続させるとき、前記ニードルマガジンをレンチのレバーとして利用することが可能であり、従って、前記ニードル組体を交換することが、かなり容易にされている。ニードル組体を注射装置に適合させるために、この注射装置が回転される必要がある回数が、最小化されるニードル組体を提供することも、本発明の目的である。
【０００６】
【課題を解決するための手段】
これは、
複数のニードル組体を収容し、これらニードル組体をここから選択的に取り出すためのニードルマガジンであって、
上面と、下面と、これら面間の筒形面を有し、また、各々が前記ニードル組体の１つを収容する複数の分室を有する筒形のベース部材と、
このベース部材に対して回転されるように、このベース部材に回転可能に設けられ、スロットを有するカバーであって、このスロットを通じて、前記分室の１つ内に配置されているニードル組体へのアクセスが、与えられ得るカバーとを、
具備するニードルマガジンにおいて、
各分室は、少なくとも部分的に、所定の円の扇形の形態であり、各扇形は、前記カバーの回転軸の径方向に延びており、
前記カバーは、前記上面とほぼ平行な第１の部分と、前記筒形面とほぼ平行な第２の部分とを有し、この第２の部分は、前記筒形のベース部材の筒形面を少なくとも部分的に被っており、
前記カバーのスロットは、前記第２の部分に少なくとも部分的に与えられており、このため、前記分室へのアクセスが、回転部材の回転軸の径方向に沿って得られ得る
ことを特徴とする本発明のニードルマガジンによって達成される。
【０００７】
例えばＮｏｖｏ　Ｎｏｒｄｉｓｋ　Ａ／ＳのＮｏｖｏｆｉｎｅ注射装置のような注射装置のための従来のニードル組体は、ねじ山を有するハブの直径の約２倍の長さを有する。各ニードル組体をマガジン内に、垂直方向ではなく水平方向に収容するとき、前記ニードル組体の長さを覆う高さから、前記ニードル組体の直径のみを覆う高さまで、即ち、ほぼ半分の高さまで、前記マガジンの高さをカットすることが可能である。同時に、同じ数のニードルが、知られたマガジンと同じ半径を有するマガジン内に収容され得、従って、前記マガジンの中央領域が、収容スペースとして利用される。
【０００８】
前記ニードルマガジンの高さが、減少されたとき、前記マガジンを一方の手の手のひら内に収容することが可能である。この場合、前記マガジンが、一方の手でレンチとして回転され得る一方で、前記注射装置は、他方の手で回転され得、このため、各部材は、前記ニードル組体を前記注射装置と接続させるように、一回即ち３６０°だけ回転される必要がある。
【０００９】
使用者が、一方の手の手のひら内にマガジンを保持し、マガジンを、ニードル組体が接続される注射装置に対して回転させるとき、前記マガジンの回転軸から離れて作用される力の大部分が、活用される。このようにして、前記マガジンは、レンチのレバーとして使用され、このことは、限られた物理的な力、運動神経を有する人間が、前記ニードル組体を前記注射装置に接続させることをより容易にしている。
【００１０】
請求項２で開示されているように、各分室が、各ニードル組体を回転に対してロックする手段を有するとき、前記ニードル組体は、前記注射装置に対して回転されるときはいつでも、前記ニードルマガジンと共に回転されることが確実にされる。前記ニードル組体を前記ニードルマガジンと回転について接続させる簡単な方法は、請求項３で開示されているように、各ニードル組体を各分室中へとプレスばめ（ｆｏｒｃｅ　ｆｉｔｔｅｄ）することによる方法である。前記ニードルハブを前記ベース部材に回転についてロックする別の方法は、前記ニードルハブに、前記分室の内面に設けられているトラック又はリブ中へと適合される長軸方向の同様のトラック又はリブを与えることによる方法であり得る。
【００１１】
請求項４で開示されているように、各分室が、使用済みニードル組体の再使用を防止する手段を有するとき、使用者が、使用済みのニードル組体を再使用し得ず、従って、好ましくない感染が起こり得ないことが確実にされている。前記ニードルマガジン内に使用済みニードル組体が配置された後、その再使用を防止するための方法の一つは、請求項５で開示されているように、各分室に、各分室の内面に配置されている複数のフレキシブルアームを与えることによる方法であり、これらアームは、各分室の内面に垂直な位置へとこれらアームを移動させる組み込み弾性（ｂｕｉｌｄ　ｉｎ　ｒｅｓｉｌｉｅｎｃｙ）を有する。
【００１２】
請求項６で開示されているように、前記アームが、使用済みニードル組体が、前記分室内に配置されるとき、前方に曲げられ、ニードルハブの外径部又はこのニードルハブに支持されているリングと、前記分室との間に押し込められるとき、使用済みニードル組体が、前記分室内に安全にロックされることが確実にされる。
【００１３】
請求項７で開示されているように、前記ニードルマガジンが、前記カバーが、前記ベース部材に対して所定の一回転方向に回転されることを妨げる手段を有するとき、前記カバーの開口は、新たな滅菌されたニードル組体を見えるようにする方向である一方向にのみ移動され得ることが確実にされている。これら手段を利用する簡単な方法は、請求項８で開示されているように、前記ニードルマガジンに、前記カバーに設けられている１以上のラチェット歯と相互作用する、前記ベース部材に設けられている複数のラチェット歯を与えることであろう。
【００１４】
請求項９で開示されているように、前記カバー及びベース部材が、前記カバーが、前記ベース部材に対して３６０度以上回転されることを妨げる手段を有するとき、いったん前記ニードルマガジンの全てのニードル組体が、使用された場合、前記カバーの開口は、それ以上移動され得ないことが確実にされている。これを確実にする１つの方法は、前記カバーが、前記ベース部材に対して約３６０度回転されたとき、前記カバーに配置されている第１の突出部と、前記ベース部材に配置されている第２の突出部とを互いに当接させることによる方法である。
【００１５】
【発明の実施の形態】
本発明は、好ましい実施形態と関連し、図面を参照して以下でより充分に説明されるだろう。
【００１６】
図は、概略的であり、明瞭さのために単純化されており、本発明の理解に不可欠な詳細部分を示している一方で、他の詳細部分は、省かれている。全体を通じて、同じ参照符号が、同一又は対応する部材について使用されている。
【００１７】
図１及び２は、本発明のニードルマガジンを示している。このニードルマガジンは、上面２と下面３とを有する円筒形のベース部材１を有する。これら２つの面２、３は、互いに平行であり、円筒面４によって互いに接続されている。前記上面２は、カバー５で覆われており、このカバー５は、円形の前記ベース部材１の中央あるいは面４で、円形の前記ベース部材１に接続されている。前記ベース部材１とカバー５とは、互いに回転され得、両部材は、使用者が回転運動を行うことをより容易にする図示されていない複数の指用グリップを有し得る。
【００１８】
前記ベース部材１は、複数の分室９を有し、各分室９は、１つのニードル組体１０を収容する。各ニードル組体１０は、ニードルカニューレ１１と、ニードルハブ１２とを有する。このニードルカニューレ１１は、使用者の皮膚に刺されるような末端部と、放出される薬物を収容する図示されていないカートリッジの弾性シールに刺されるような基端部とを有する。前記ニードルハブ１２は、前記ニードルカニューレ１１に接続され、このニードルハブ１２を注射装置１３と接続させるための手段を有する。
【００１９】
前記ベース部材１は、円形であり、各分室９は、少なくとも部分的に、所定の円の扇形の形態である。各扇形即ち分室９は、前記カバー５の回転軸の径方向に延びている。
【００２０】
前記注射装置１３とハブ１２とを接続させる手段は、図２で示されているように、従来のねじ山接続であり得る。前記ニードル組体１０と注射装置とを接続させるとき、前記注射装置１３の先端部は、前記ニードルハブ１２中へと押し込まれ、前記注射装置１３は、前記ニードルマガジンに対して回転される。各ニードル組体１０は、このニードル組体１０が、前記注射装置１３が、回転されるときにはいつでも、回転を妨げられるような方法で、前記分室９内に１つ１つ配置されており、前記ニードル組体１０は、例えば、当初、前記分室９中へとプレスばめされ得、あるいは、前記ニードル組体１０は、前記分室９の内面に配置されているトラック又はリブ中へと適合される長軸方向の同様なトラック又はリブを有し得、これにより、前記ニードルハブ１２を前記ベース部材１に回転についてロックする。各分室９は、滅菌膜１４によってシールされ、この滅菌膜１４は、例えば、剥離可能なラベル（ｐｅａｌａｂｌｅ　ｌａｂｅｌ）１４であり得る。このようにして、各分室９の内部が、滅菌された状態に保たれ得る一方で、アクセスが、前記剥離可能なラベル１４を取り除くことにより簡単に得られ得る。
【００２１】
前記カバー５は、好ましくは適切なポリマー材によって作られ、また、前記ベース部材１の上面２とほぼ平行な第１の部分７と、回転部材５のベース部材１の筒形面４とほぼ平行な第２の部分８とを有する。前記カバー５は、完全に又は部分的に透明であり得、このため、使用者は、前記分室９を視覚によって点検し得る。前記カバー５は、開口６を有し、この開口６を通して、各分室９へのアクセスが、得られ得る。前記開口６は、前記ベース部材１の円筒面４に平行な、前記カバー５の一部分に配置されているため、各分室９へのアクセスは、前記ニードルマガジンの径方向側から与えられる。しかしながら、前記開口６の一部分は、前記ベース部材１の上面２に平行な、前記カバー５の一部分にも配置されている。このようにして、使用者が、前記剥離可能なラベル１４に設けられたフラップに達することが可能とされている。
【００２２】
前記分室９は、前記ニードルマガジンの径方向側、即ち、前記ベース部材１の円筒面４から、使用者によってアクセスされる。前記カバー５は、前記開口６が、前記分室９の１つとアラインメントされるように回転される。前記カバー５をアラインメント位置へとクリックする手段が、与えられ得る。前記開口６が、滅菌されたニードル組体１０を収容している分室９の１つとアラインメントされたとき、前記剥離可能なラベル１４は、取り除かれ得、前記注射装置１３の先端部は、前記開口６を通って挿入され得る。その後、前記注射装置１３とニードルマガジンとは、前記ニードルハブ１２のねじ山を、前記注射装置１３の先端部に配置されているねじ山へと接続するように、互いに回転される。前記ニードルマガジンから、前記注射装置１３を径方向に引き抜いたとき、前記注射装置１３は、前記ニードル組体１０を装着されており、使用する準備ができている。使用後、前記ニードル組体１０は、上述した移動を逆に行うことによって、同じ分室９内に戻される。
【００２３】
使用済みニードル組体１０が、いったん前記ベース部材１に戻された場合に、前記ニードル組体１０を前記ベース部材１内にロックする手段が、与えられ得る。このような手段の例が、図３及び４で示されている。
【００２４】
これら図で、前記注入装置１３とニードル組体１０との間の接続は、差込接続として示されているが、以下で示される原理は、もちろん、所望ならば、上述されたねじ山接続で利用され得る。
【００２５】
差込接続部は、前記注射装置１３の先端部に設けられている突出部１５を有し、この突出部１５は、前記ニードル組体１０が、前記注入装置１３に装着されているとき、前記ニードルハブ１２に与えられている突出部１６の末端側に配置されている。前記注射装置１３に設けられている突出部１５よりも長い、前記ニードルハブ１２に設けられている突出部１６が、使用可能であり、この突出部１６は、所定の傾斜角で与えられ得、このため、前記ニードルハブ１２は、前記注射装置１３が、前記ニードルマガジンに対して回転されたとき、前記注射装置１３に対してしっかりと引っ張られるだろう。通常、前記ニードルハブ１２は、所定の角度位置に配置されている２以上のこのような突出部１６を有する。
【００２６】
前記ニードルマガジンのベース部材１内の各分室９は、内面に、複数のフレキシブルアーム１７、１８を有する。これらアームは、当初、内面に垂直な位置にあり、組込み弾性を有し、この弾性は、常に、前記アームを当初の垂直位置へと起こそうとするだろう。同時に、前記ニードルハブ１２は、第１の肩部１９と第２の肩部２０とを有し、これら両肩部１９、２０は、前記ニードルハブ１２を取り囲んでいる。前記ニードル組体１０は、当初、前記フレキシブルアーム１７、１８が、前記分室９の内面に垂直な状態で、前記分室９内に配置されている。この位置で、前記アーム１７、１８は、前記第１の肩部１９に当接している。前記アーム１７、１８は、各分室の内面に沿って配置されている任意の数の別個のアーム１７、１８として与えられ得ることが理解されるべきである。これらアーム１７、１８は、前記分室９の内面の３６０°全てに渡って並んで配置されている舌部として与えられ得、あるいは、これら舌部は、前記分室の内面に沿って所定の角度位置に配置され得る。あるいは、これらアーム１７、１８は、前記分室９の内面に与えられた１つの円形スカート部として与えられ得る。
【００２７】
前記ニードルハブ１２を前記注射装置１３に接続させるとき、前記注射装置１３の先端部は、前記ニードルハブ１２中へと押し込まれ、差込み接続を確実にするように、前記ニードルマガジンに対して僅かに回転される。前記注射装置１３を前記ニードルマガジンから径方向に引き抜くとき、前記ニードルハブ１２に設けられている前記肩部１９、２０は、前記ニードルハブ１２が、通過し得るように、前記フレキシブルアーム１７、１８を後方に曲げる。
【００２８】
所定のスロットが、前記突出部１６と代わり得、前記突出部１５は、このスロット中へと適合され得る。即ち、前記ニードルハブ１２と注射装置１３とは、前記突出部１５が、前記スロット中へとクリックされるまで、前記注射装置１３の先端部を前記ニードルハブ１２の内部へと押し込むことによって簡単に接続される。
【００２９】
用いられる様々な方向を明確にするため、後方は、前記ニードルマガジンの中心から離れる方向を示し、また、前方は、反対の方向、即ち、前記ニードルマガジンの中心を向く方向を示すとする。
【００３０】
使用後、前記ニードル組体は、このニードル組体１０を有する前記注入装置１３を、前記カバー５の開口６を通じて、前記ベース部材１内の前記分室９中へと前方に押し込むことによって、前記ニードルマガジン内に再配置される。こうすることにより、前記ニードルハブ１２の末端部２１は、前記フレキシブルアーム１７、１８を前方に曲げる。前記末端部２１が、前記フレキシブルアーム１７、１８をいったん通過すると、前記アーム１７、１８の組込み弾性により、これらアームは、後方に曲げられるが、前記第１の肩部１９と第２の肩部２０との間の前記ニードルハブ１２の直径部の大きさのために、後方へと完全に垂直位置まで曲がることを妨げられる。前記フレキシブルアーム１７，１８は、この位置で、前方を向いており、前記第２の肩部２０とニードルハブ１２との両方とに当接している。このとき、図４で示されているように、前記ニードルハブ１２は、前記複数のフレキシブルアーム１７、１８間に押し込められており、前記ニードルハブ１２を前記ベース部材１の外へと、後方に引き抜くことが可能である。
【００３１】
使用済みニードル組体１０の再使用を防止するために、前記ニードルマガジンは、前記カバー６が、前記ベース部材１に対して所定の一回転方向に回転されるのを妨げる手段を有し得る。この手段は、前記カバー５に与えられている１以上のラチェット歯３０と相互作用する、前記ベース部材１に与えられている複数のラチェット歯２９であり得る。前記ラチェット歯２９、３０は、好ましくは、急傾斜部と湾曲部とを有し、これによって、一方向への回転を可能にしている。前記カバー５の開口を、各分室９とのアラインメント位置に指定するための同様な手段が、与えられ得る。
【００３２】
前記ニードルマガジンは、前記カバーが、前記ベース部材に対して３６０°以上回転されることを妨げる追加の手段を有し得る。この手段は、前記ベース部材１に設けられている円形トラック３１内に配置されている図示されていない第１の突出部と、前記カバー６に配置されている第２の突出部３２とであり得、これら突出部は、前記カバー５が、前記ベース部材１に対して約３６０°回転されたとき、互いに当接する。
【００３３】
設計上回転され得ない注射装置１３を収容するように、クリック着脱接続（ａ　ｃｌｉｃｋ−ｏｎ，ｃｌｉｃｋ−ｏｆｆ　ｃｏｎｎｅｃｔｉｏｎ）が、開発されている。この接続は、図５及び６で示されている。
【００３４】
前記ニードル組体１０は、ニードルカニューレ１１と、ニードルハブ１２とを有する。このニードルハブ１２は、長軸方向に配置されている複数のスロットによって、長軸方向へと、少なくとも２つのフラップ２２、２３に分割されており、これらフラップは、前記ニードルハブ１２の基端部において開かれ、このニードルハブ１２の基端部から、前記ニードルハブ１２の末端部に向かう方向へと延びている。前記複数のスロットは、好ましくは、２つであるが、３つ又は４つでもあり得る。
【００３５】
中空リング２４が、前記ニードルハブ１２の外径部に摺動可能に配置されている。前記リング２４は、前記ニードルハブの末端部に配置されている第１のカラー２５と、前記ニードルハブ１２の基端部に配置されている第２のカラー２６との間で、自由に摺動され得る。
【００３６】
前記ニードルマガジンのベース部材１内の各分室９は、内面に、複数のフレキシブルアーム１７、１８を有する。前記分室９は、また、第１の肩部２７と、第２の肩部２８とを有し、これら両肩部２７、２８は、前記分室９の円形端壁として形成されている。前記ニードル組体１０は、当初、前記フレキシブルアーム１７、１８が、後方に少し曲げられ、前記分室内で前記ニードルハブ１２に当接し、これを保持している状態で、前記分室９内に配置されている。図５で示されているように、この位置で、前記リング２４が、前記第１の肩部２７に当接している。
【００３７】
前記注射装置１３のねじ山を設けられている先端部が、前記ニードルハブ１２の分割され開かれた端部中へと押し込まれたとき、前記ニードルハブ１２は、さらに前方に押し込まれ、前記第１の肩部２７に当接していた前記リング２４は、前記ニードルハブ１２に沿って摺動され、これによって、前記フラップ２２，２３が、前記注射装置１３のねじ山を設けられた先端部の周囲に締めつけられる。前記リング２４が、前記ニードルハブ１２に設けられている前記第２のカラー２６に当接しているとき、前記フラップは、完全に締められており、前記注射装置１３に装着された前記ニードル組体１０は、前記ニードルマガジンから引き抜かれ得る。
【００３８】
使用後、前記ニードル組体は、このニードル組体１０を有する前記注射装置１３を、前記カバー５の開口６を通して、前記ベース部材１内の分室中へと前方に押し込むことによって、前記ニードルマガジン内に再配置される。こうすることによって、前記リング２４は、前記フレキシブルアーム１７、１８を前方に曲げる。前記注射装置１３を前記ニードルマガジンから離れるように後方に引き抜いたとき、前記アーム１７、１８が、前記第１のカラー２５と第２のカラー２６との間のリング２４の直径部の大きさのために、後方へと完全に垂直位置まで曲げられることが、妨げられる。前記フレキシブルアーム１７、１８は、この位置で、前方を向いており、前記リング２４に当接している。図６で示されているように、前記リング２４及びニードルハブ１２が、前記複数のフレキシブルアーム１７、１８間に押し込められている状態で、前記ニードルハブ１２を前記ベース部材１の外へとさらに後方に引き抜くことは不可能であり、前記注射装置をさらに後方に引き抜いた場合、結果として、前記リングは、前記第１のカラー２５に達するまで、前記ニードルハブの外面に沿って摺動され、この時点で、前記ニードルハブ１２のフラップ２２、２３は、充分に押しもどされて、前記注射装置１３が、前記ニードル組体１０との接続を解除されるだろう。
【００３９】
好ましい幾つかの実施形態が、上述されたが、本発明は、これらに限定されず、特許請求の範囲で規定される主題内で、他の方法で実施され得ることが強調されるべきである。
【図面の簡単な説明】
【図１】本発明のニードルマガジンの斜視図を示している。
【図２】本発明のニードルマガジンの断面図を示している。
【図３】本発明の一実施形態の断面図を示しており、ニードル組体は、分離位置にある。
【図４】本発明の一実施形態の断面図を示しており、ニードル組体は、結合位置にある。
【図５】本発明の別の一実施形態の断面図を示しており、ニードル組体は、分離位置にある。
【図６】本発明の別の一実施形態の断面図を示しており、ニードル組体は、結合位置にある。
【図１】
2004505683.tif 000003
【図２】
2004505683.tif 000004
【図３】
2004505683.tif 000005
【図４】
2004505683.tif 000006
【図５】
2004505683.tif 000007
【図６】
2004505683.tif 000008
【国際公開パンフレット】
2004505683.tif 000009
2004505683.tif 000010
2004505683.tif 000011
2004505683.tif 000012
2004505683.tif 000013
2004505683.tif 000014
2004505683.tif 000015
2004505683.tif 000016
2004505683.tif 000017
2004505683.tif 000018
2004505683.tif 000019
2004505683.tif 000020
2004505683.tif 000021
2004505683.tif 000022
2004505683.tif 000023
2004505683.tif 000024
【手続補正書】
【提出日】平成14年6月13日(2002.6.13)
【手続補正１】
【補正対象書類名】明細書
【補正対象項目名】特許請求の範囲
【補正方法】変更
【補正の内容】
【特許請求の範囲】
【請求項１】
複数の薬物注射ニードル組体（１０）を収容し、これらニードル組体（１０）をここから選択的に取り出すためのニードルマガジンであって、
上面（２）と、下面（３）と、これら面間の筒形面（４）とを有する筒形のベース部材（１）であって、複数の離間されているキャビティ（９）をさらに有し、各キャビティ（９）は、前記ニードル組体（１０）の１つを収容し、このニードル組体（１０）は、前記キャビティ（９）内で、前記ベース部材（１）に対して回転されないように保持され、また、各キャビティ（９）は、各キャビティの内部が、滅菌された状態に保たれ得るように、滅菌バリア（１４）によってシール可能な開口を有する、ベース部材（１）と、
このベース部材（１）に対して回転されるように、同じ中心軸を共有するベース部材（１）に回転可能に設けられ、スロット（６）を有し、このスロット（６）を通じて、前記キャビティ（９）の１つ内に配置されているニードル組体（１０）の１つへのアクセスが、与えられ得るカバー（５）とを、
具備するニードルマガジンにおいて、
前記キャビティ（９）は、前記筒形面（４）の内側に与えられ、前記カバー（５）の回転軸のほぼ径方向に延びており、
前記カバー（５）は、前記上面（２）とほぼ平行な第１の部分（７）と、前記筒形面（４）とほぼ平行な第２の部分（８）とを有し、この第２の部分（８）は、前記筒形のベース部材（１）の筒形面（４）を少なくとも部分的に被っており、
前記カバー（５）のスロット（６）は、前記第２の部分（８）に少なくとも部分的に与えられており、このため、前記キャビティ（９）へのアクセスが、回転される前記カバー（５）の回転軸の径方向に沿って得られ得る
ことを特徴とするニードルマガジン。
【請求項２】
前記ニードルマガジンは、前記カバー（５）が、前記ベース部材（１）に対して所定の一回転方向に回転されることを妨げる一方で、反対方向への回転を可能にしている手段（２９、３０）を有することを特徴とする請求項１の複数のニードル組体を収容するためのニードルマガジン。
【請求項３】
前記ニードルマガジンは、前記カバー（５）に設けられている１以上のラチェット歯（３０）と相互作用する、前記ベース部材（１）に設けられている複数のラチェット歯（２９）を有することを特徴とする請求項２の複数のニードル組体を収容するためのニードルマガジン。
【請求項４】
前記カバー（５）及びベース部材（１）は、前記カバー（５）が、前記ベース部材（５）に対して３６０度以上回転されることを妨げる手段（３１、３２）を有することを特徴とする請求項１ないし３いずれか１の複数のニードル組体を収容するためのニードルマガジン。
【請求項５】
前記カバー（５）に配置されている第１の突出部と、前記ベース部材（１）に配置されている第２の突出部とが、前記カバー（５）が、前記ベース部材（１）に対して約３６０度回転されたとき、互いに当接することを特徴とする請求項４の複数のニードル組体を収容するためのニードルマガジン。
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、複数のニードル組体を収容し、取り出すためのニードルマガジンに関する。
【０００２】
【従来の技術】
医療用注射装置が、薬物の選択された投与量を患者に与えるために使用されている。インシュリンのような薬物は、患者本人によって扱われている。典型的な糖尿病患者は、一日数回のインシュリンの注射を必要とするだろう。感染を防止するため、新たな注射毎に、滅菌されたニードル組体を使用することが推奨されている。これらニードル組体は、しばしば、マガジン内に与えられ、各マガジンは、滅菌された分室内にただ１つのニードル組体を収容する。このようなマガジンは、米国特許５．９７１．９６６号で開示されている。この種類のニードル組体を使用するさいには、患者が、各注射の前に、マガジンを開けて、ニードル組体を注射装置に装着することが必要である。新たな滅菌されたニードル組体は、しばしば、ハンドバック又はブリーフケースで大雑把に運ばれ、使用済みニードル組体は、しばしば安全でない状態に配置されるために、このタイプの滅菌されたニードル組体の収容と、使用済みニードル組体の最終的な配置とが、問題となっている。
【０００３】
これら問題を克服するため、複数のニードル組体を収容し、取り出すためのニードルマガジンが、開発されている。従来のこのマガジンは、米国特許５．８７３．４６２号で開示され、複数の分室を有する筒形ベース部材によって形成されており、各分室は、１つのニードル組体を収容している。カバーが、前記ベース部材の頂部に回転可能に設けられている。このカバーに与えられているスロットが、前記分室の内部とアラインメントされたとき、使用者は、この分室にアクセスし得る。前記ニードル組体は、ねじ山接続によって注射装置に接続される。典型的な注射装置は、先端部に与えられているねじ山を有し、このねじ山は、前記ニードル組体の内側のねじ山に適合されており、従って、前記マガジンあるいは注射装置を回転させたとき、前記ニードル組体は、前記注射装置に接続される。使用後に、使用済みニードル組体が、前記マガジン内に位置されるとき、使用者は、再び同じ手順を行う必要がある。
【０００４】
前記マガジンの高さは、片手で保持するには困難な高さであるために、知られたニードルマガジンの取り扱いは、非常に面倒である。即ち、前記マガジンは、前記ニードル組体を前記注射装置に装着する前、平らな面、例えば、テーブル上に位置される必要がある。前記マガジンが、テーブル上に配置されているとき、使用者の前記ニードルマガジンに対する物理的な制御は、ある程度限定される。典型的に、前記注射装置とニードル組体との間のねじ山接続部のピッチは、ねじ山接続を充分に液密にさせるように、前記注射装置が、２回即ち約７２０度回転されなければならないように形成されている。
【０００５】
【発明が解決しようとする課題】
従来技術のニードルマガジンの欠点を有しないニードルマガジンを提供することが、本発明の目的であり、このニードルマガジンにおいて、注射装置をニードル組体と接続させるとき、前記ニードルマガジンをレンチのレバーとして利用することが可能であり、従って、前記ニードル組体を交換することが、かなり容易にされている。ニードル組体を注射装置に適合させるために、この注射装置が回転される必要がある回数が、最小化されるニードル組体を提供することも、本発明の目的である。
【０００６】
【課題を解決するための手段】
これは、請求項１で提案されているように、複数のニードル組体を収容し、これらニードル組体をここから選択的に取り出すためのニードルマガジンによって達成される。
【０００７】
例えばＮｏｖｏ　Ｎｏｒｄｉｓｋ　Ａ／ＳのＮｏｖｏｆｉｎｅ注射装置のような注射装置のための従来のニードル組体は、ねじ山を有するハブの直径の約２倍の長さを有する。各ニードル組体をマガジン内に、垂直方向ではなく水平方向に収容するとき、前記ニードル組体の長さを覆う高さから、前記ニードル組体の直径のみを覆う高さまで、即ち、ほぼ半分の高さまで、前記マガジンの高さをカットすることが可能である。同時に、同じ数のニードルが、知られたマガジンと同じ半径を有するマガジン内に収容され得、従って、前記マガジンの中央領域が、収容スペースとして利用される。
【０００８】
前記ニードルマガジンの高さが、減少されたとき、前記マガジンを一方の手の手のひら内に収容することが可能である。この場合、前記マガジンが、一方の手でレンチとして回転され得る一方で、前記注射装置は、他方の手で回転され得、このため、各部材は、前記ニードル組体を前記注射装置と接続させるように、一回即ち３６０°だけ回転される必要がある。
【０００９】
使用者が、一方の手の手のひら内にマガジンを保持し、マガジンを、ニードル組体が接続される注射装置に対して回転させるとき、前記マガジンの回転軸から離れて作用される力の大部分が、活用される。このようにして、前記マガジンは、レンチのレバーとして使用され、このことは、限られた物理的な力、運動神経を有する人間が、前記ニードル組体を前記注射装置に接続させることをより容易にしている。
【００１０】
各分室が、各ニードル組体を回転に対してロックする手段を有するとき、前記ニードル組体は、前記注射装置に対して回転されるときはいつでも、前記ニードルマガジンと共に回転されることが確実にされる。前記ニードル組体を前記ニードルマガジンと回転について接続させる簡単な方法は、各ニードル組体を各分室中へとプレスばめ（ｆｏｒｃｅ　ｆｉｔｔｅｄ）することによる方法である。前記ニードルハブを前記ベース部材に回転についてロックする別の方法は、前記ニードルハブに、前記分室の内面に設けられているトラック又はリブ中へと適合される長軸方向の同様のトラック又はリブを与えることによる方法であり得る。
【００１１】
各分室が、使用済みニードル組体の再使用を防止する手段を有するとき、使用者が、使用済みのニードル組体を再使用し得ず、従って、好ましくない感染が起こり得ないことが確実にされている。前記ニードルマガジン内に使用済みニードル組体が配置された後、その再使用を防止するための方法の一つは、各分室に、各分室の内面に配置されている複数のフレキシブルアームを与えることによる方法であり、これらアームは、各分室の内面に垂直な位置へとこれらアームを移動させる組み込み弾性（ｂｕｉｌｄ　ｉｎ　ｒｅｓｉｌｉｅｎｃｙ）を有する。
【００１２】
前記アームが、使用済みニードル組体が、前記分室内に配置されるとき、前方に曲げられ、ニードルハブの外径部又はこのニードルハブに支持されているリングと、前記分室との間に押し込められるとき、使用済みニードル組体が、前記分室内に安全にロックされることが確実にされる。
【００１３】
請求項２で開示されているように、前記ニードルマガジンが、前記カバーが、前記ベース部材に対して所定の一回転方向に回転されることを妨げる手段を有するとき、前記カバーの開口は、新たな滅菌されたニードル組体を見えるようにする方向である一方向にのみ移動され得ることが確実にされている。これら手段を利用する簡単な方法は、請求項３で開示されているように、前記ニードルマガジンに、前記カバーに設けられている１以上のラチェット歯と相互作用する、前記ベース部材に設けられている複数のラチェット歯を与えることであろう。
【００１４】
請求項４で開示されているように、前記カバー及びベース部材が、前記カバーが、前記ベース部材に対して３６０度以上回転されることを妨げる手段を有するとき、いったん前記ニードルマガジンの全てのニードル組体が、使用された場合、前記カバーの開口は、それ以上移動され得ないことが確実にされている。これを確実にする１つの方法は、前記カバーが、前記ベース部材に対して約３６０度回転されたとき、前記カバーに配置されている第１の突出部と、前記ベース部材に配置されている第２の突出部とを互いに当接させることによる方法である。
【００１５】
【発明の実施の形態】
本発明は、好ましい実施形態と関連し、図面を参照して以下でより充分に説明されるだろう。
【００１６】
図は、概略的であり、明瞭さのために単純化されており、本発明の理解に不可欠な詳細部分を示している一方で、他の詳細部分は、省かれている。全体を通じて、同じ参照符号が、同一又は対応する部材について使用されている。
【００１７】
図１及び２は、本発明のニードルマガジンを示している。このニードルマガジンは、上面２と下面３とを有する円筒形のベース部材１を有する。これら２つの面２、３は、互いに平行であり、円筒面４によって互いに接続されている。前記上面２は、カバー５で覆われており、このカバー５は、円形の前記ベース部材１の中央あるいは面４で、円形の前記ベース部材１に接続されている。前記ベース部材１とカバー５とは、互いに回転され得、両部材は、使用者が回転運動を行うことをより容易にする図示されていない複数の指用グリップを有し得る。
【００１８】
前記ベース部材１は、複数の分室９を有し、各分室９は、１つのニードル組体１０を収容する。各ニードル組体１０は、ニードルカニューレ１１と、ニードルハブ１２とを有する。このニードルカニューレ１１は、使用者の皮膚に刺されるような末端部と、放出される薬物を収容する図示されていないカートリッジの弾性シールに刺されるような基端部とを有する。前記ニードルハブ１２は、前記ニードルカニューレ１１に接続され、このニードルハブ１２を注射装置１３と接続させるための手段を有する。
【００１９】
前記ベース部材１は、円形であり、各分室９は、少なくとも部分的に、所定の円の扇形の形態である。各扇形即ち分室９は、前記カバー５の回転軸の径方向に延びている。
【００２０】
前記注射装置１３とハブ１２とを接続させる手段は、図２で示されているように、従来のねじ山接続であり得る。前記ニードル組体１０と注射装置とを接続させるとき、前記注射装置１３の先端部は、前記ニードルハブ１２中へと押し込まれ、前記注射装置１３は、前記ニードルマガジンに対して回転される。各ニードル組体１０は、このニードル組体１０が、前記注射装置１３が、回転されるときにはいつでも、回転を妨げられるような方法で、前記分室９内に１つ１つ配置されており、前記ニードル組体１０は、例えば、当初、前記分室９中へとプレスばめされ得、あるいは、前記ニードル組体１０は、前記分室９の内面に配置されているトラック又はリブ中へと適合される長軸方向の同様なトラック又はリブを有し得、これにより、前記ニードルハブ１２を前記ベース部材１に回転についてロックする。各分室９は、滅菌膜１４によってシールされ、この滅菌膜１４は、例えば、剥離可能なラベル（ｐｅａｌａｂｌｅ　ｌａｂｅｌ）１４であり得る。このようにして、各分室９の内部が、滅菌された状態に保たれ得る一方で、アクセスが、前記剥離可能なラベル１４を取り除くことにより簡単に得られ得る。
【００２１】
前記カバー５は、好ましくは適切なポリマー材によって作られ、また、前記ベース部材１の上面２とほぼ平行な第１の部分７と、回転部材５のベース部材１の筒形面４とほぼ平行な第２の部分８とを有する。前記カバー５は、完全に又は部分的に透明であり得、このため、使用者は、前記分室９を視覚によって点検し得る。前記カバー５は、開口６を有し、この開口６を通して、各分室９へのアクセスが、得られ得る。前記開口６は、前記ベース部材１の円筒面４に平行な、前記カバー５の一部分に配置されているため、各分室９へのアクセスは、前記ニードルマガジンの径方向側から与えられる。しかしながら、前記開口６の一部分は、前記ベース部材１の上面２に平行な、前記カバー５の一部分にも配置されている。このようにして、使用者が、前記剥離可能なラベル１４に設けられたフラップに達することが可能とされている。
【００２２】
前記分室９は、前記ニードルマガジンの径方向側、即ち、前記ベース部材１の円筒面４から、使用者によってアクセスされる。前記カバー５は、前記開口６が、前記分室９の１つとアラインメントされるように回転される。前記カバー５をアラインメント位置へとクリックする手段が、与えられ得る。前記開口６が、滅菌されたニードル組体１０を収容している分室９の１つとアラインメントされたとき、前記剥離可能なラベル１４は、取り除かれ得、前記注射装置１３の先端部は、前記開口６を通って挿入され得る。その後、前記注射装置１３とニードルマガジンとは、前記ニードルハブ１２のねじ山を、前記注射装置１３の先端部に配置されているねじ山へと接続するように、互いに回転される。前記ニードルマガジンから、前記注射装置１３を径方向に引き抜いたとき、前記注射装置１３は、前記ニードル組体１０を装着されており、使用する準備ができている。使用後、前記ニードル組体１０は、上述した移動を逆に行うことによって、同じ分室９内に戻される。
【００２３】
使用済みニードル組体１０が、いったん前記ベース部材１に戻された場合に、前記ニードル組体１０を前記ベース部材１内にロックする手段が、与えられ得る。このような手段の例が、図３及び４で示されている。
【００２４】
これら図で、前記注入装置１３とニードル組体１０との間の接続は、差込接続として示されているが、以下で示される原理は、もちろん、所望ならば、上述されたねじ山接続で利用され得る。
【００２５】
差込接続部は、前記注射装置１３の先端部に設けられている突出部１５を有し、この突出部１５は、前記ニードル組体１０が、前記注入装置１３に装着されているとき、前記ニードルハブ１２に与えられている突出部１６の末端側に配置されている。前記注射装置１３に設けられている突出部１５よりも長い、前記ニードルハブ１２に設けられている突出部１６が、使用可能であり、この突出部１６は、所定の傾斜角で与えられ得、このため、前記ニードルハブ１２は、前記注射装置１３が、前記ニードルマガジンに対して回転されたとき、前記注射装置１３に対してしっかりと引っ張られるだろう。通常、前記ニードルハブ１２は、所定の角度位置に配置されている２以上のこのような突出部１６を有する。
【００２６】
前記ニードルマガジンのベース部材１内の各分室９は、内面に、複数のフレキシブルアーム１７、１８を有する。これらアームは、当初、内面に垂直な位置にあり、組込み弾性を有し、この弾性は、常に、前記アームを当初の垂直位置へと起こそうとするだろう。同時に、前記ニードルハブ１２は、第１の肩部１９と第２の肩部２０とを有し、これら両肩部１９、２０は、前記ニードルハブ１２を取り囲んでいる。前記ニードル組体１０は、当初、前記フレキシブルアーム１７、１８が、前記分室９の内面に垂直な状態で、前記分室９内に配置されている。この位置で、前記アーム１７、１８は、前記第１の肩部１９に当接している。前記アーム１７、１８は、各分室の内面に沿って配置されている任意の数の別個のアーム１７、１８として与えられ得ることが理解されるべきである。これらアーム１７、１８は、前記分室９の内面の３６０°全てに渡って並んで配置されている舌部として与えられ得、あるいは、これら舌部は、前記分室の内面に沿って所定の角度位置に配置され得る。あるいは、これらアーム１７、１８は、前記分室９の内面に与えられた１つの円形スカート部として与えられ得る。
【００２７】
前記ニードルハブ１２を前記注射装置１３に接続させるとき、前記注射装置１３の先端部は、前記ニードルハブ１２中へと押し込まれ、差込み接続を確実にするように、前記ニードルマガジンに対して僅かに回転される。前記注射装置１３を前記ニードルマガジンから径方向に引き抜くとき、前記ニードルハブ１２に設けられている前記肩部１９、２０は、前記ニードルハブ１２が、通過し得るように、前記フレキシブルアーム１７、１８を後方に曲げる。
【００２８】
所定のスロットが、前記突出部１６と代わり得、前記突出部１５は、このスロット中へと適合され得る。即ち、前記ニードルハブ１２と注射装置１３とは、前記突出部１５が、前記スロット中へとクリックされるまで、前記注射装置１３の先端部を前記ニードルハブ１２の内部へと押し込むことによって簡単に接続される。
【００２９】
用いられる様々な方向を明確にするため、後方は、前記ニードルマガジンの中心から離れる方向を示し、また、前方は、反対の方向、即ち、前記ニードルマガジンの中心を向く方向を示すとする。
【００３０】
使用後、前記ニードル組体は、このニードル組体１０を有する前記注入装置１３を、前記カバー５の開口６を通じて、前記ベース部材１内の前記分室９中へと前方に押し込むことによって、前記ニードルマガジン内に再配置される。こうすることにより、前記ニードルハブ１２の末端部２１は、前記フレキシブルアーム１７、１８を前方に曲げる。前記末端部２１が、前記フレキシブルアーム１７、１８をいったん通過すると、前記アーム１７、１８の組込み弾性により、これらアームは、後方に曲げられるが、前記第１の肩部１９と第２の肩部２０との間の前記ニードルハブ１２の直径部の大きさのために、後方へと完全に垂直位置まで曲がることを妨げられる。前記フレキシブルアーム１７，１８は、この位置で、前方を向いており、前記第２の肩部２０とニードルハブ１２との両方とに当接している。このとき、図４で示されているように、前記ニードルハブ１２は、前記複数のフレキシブルアーム１７、１８間に押し込められており、前記ニードルハブ１２を前記ベース部材１の外へと、後方に引き抜くことが可能である。
【００３１】
使用済みニードル組体１０の再使用を防止するために、前記ニードルマガジンは、前記カバー６が、前記ベース部材１に対して所定の一回転方向に回転されるのを妨げる手段を有し得る。この手段は、前記カバー５に与えられている１以上のラチェット歯３０と相互作用する、前記ベース部材１に与えられている複数のラチェット歯２９であり得る。前記ラチェット歯２９、３０は、好ましくは、急傾斜部と湾曲部とを有し、これによって、一方向への回転を可能にしている。前記カバー５の開口を、各分室９とのアラインメント位置に指定するための同様な手段が、与えられ得る。
【００３２】
前記ニードルマガジンは、前記カバーが、前記ベース部材に対して３６０°以上回転されることを妨げる追加の手段を有し得る。この手段は、前記ベース部材１に設けられている円形トラック３１内に配置されている図示されていない第１の突出部と、前記カバー６に配置されている第２の突出部３２とであり得、これら突出部は、前記カバー５が、前記ベース部材１に対して約３６０°回転されたとき、互いに当接する。
【００３３】
設計上回転され得ない注射装置１３を収容するように、クリック着脱接続（ａ　ｃｌｉｃｋ−ｏｎ，ｃｌｉｃｋ−ｏｆｆ　ｃｏｎｎｅｃｔｉｏｎ）が、開発されている。この接続は、図５及び６で示されている。
【００３４】
前記ニードル組体１０は、ニードルカニューレ１１と、ニードルハブ１２とを有する。このニードルハブ１２は、長軸方向に配置されている複数のスロットによって、長軸方向へと、少なくとも２つのフラップ２２、２３に分割されており、これらフラップは、前記ニードルハブ１２の基端部において開かれ、このニードルハブ１２の基端部から、前記ニードルハブ１２の末端部に向かう方向へと延びている。前記複数のスロットは、好ましくは、２つであるが、３つ又は４つでもあり得る。
【００３５】
中空リング２４が、前記ニードルハブ１２の外径部に摺動可能に配置されている。前記リング２４は、前記ニードルハブの末端部に配置されている第１のカラー２５と、前記ニードルハブ１２の基端部に配置されている第２のカラー２６との間で、自由に摺動され得る。
【００３６】
前記ニードルマガジンのベース部材１内の各分室９は、内面に、複数のフレキシブルアーム１７、１８を有する。前記分室９は、また、第１の肩部２７と、第２の肩部２８とを有し、これら両肩部２７、２８は、前記分室９の円形端壁として形成されている。前記ニードル組体１０は、当初、前記フレキシブルアーム１７、１８が、後方に少し曲げられ、前記分室内で前記ニードルハブ１２に当接し、これを保持している状態で、前記分室９内に配置されている。図５で示されているように、この位置で、前記リング２４が、前記第１の肩部２７に当接している。
【００３７】
前記注射装置１３のねじ山を設けられている先端部が、前記ニードルハブ１２の分割され開かれた端部中へと押し込まれたとき、前記ニードルハブ１２は、さらに前方に押し込まれ、前記第１の肩部２７に当接していた前記リング２４は、前記ニードルハブ１２に沿って摺動され、これによって、前記フラップ２２，２３が、前記注射装置１３のねじ山を設けられた先端部の周囲に締めつけられる。前記リング２４が、前記ニードルハブ１２に設けられている前記第２のカラー２６に当接しているとき、前記フラップは、完全に締められており、前記注射装置１３に装着された前記ニードル組体１０は、前記ニードルマガジンから引き抜かれ得る。
【００３８】
使用後、前記ニードル組体は、このニードル組体１０を有する前記注射装置１３を、前記カバー５の開口６を通して、前記ベース部材１内の分室中へと前方に押し込むことによって、前記ニードルマガジン内に再配置される。こうすることによって、前記リング２４は、前記フレキシブルアーム１７、１８を前方に曲げる。前記注射装置１３を前記ニードルマガジンから離れるように後方に引き抜いたとき、前記アーム１７、１８が、前記第１のカラー２５と第２のカラー２６との間のリング２４の直径部の大きさのために、後方へと完全に垂直位置まで曲げられることが、妨げられる。前記フレキシブルアーム１７、１８は、この位置で、前方を向いており、前記リング２４に当接している。図６で示されているように、前記リング２４及びニードルハブ１２が、前記複数のフレキシブルアーム１７、１８間に押し込められている状態で、前記ニードルハブ１２を前記ベース部材１の外へとさらに後方に引き抜くことは不可能であり、前記注射装置をさらに後方に引き抜いた場合、結果として、前記リングは、前記第１のカラー２５に達するまで、前記ニードルハブの外面に沿って摺動され、この時点で、前記ニードルハブ１２のフラップ２２、２３は、充分に押しもどされて、前記注射装置１３が、前記ニードル組体１０との接続を解除されるだろう。
【００３９】
好ましい幾つかの実施形態が、上述されたが、本発明は、これらに限定されず、特許請求の範囲で規定される主題内で、他の方法で実施され得ることが強調されるべきである。




【国際調査報告】
2004505683.tif 000025
2004505683.tif 000026
2004505683.tif 000027